(57)【要約】【課題】収容する展示対象物の遊動を抑制する展示器具を提供することを課題とする。【解決手段】シート状の展示対象物１０を収容して展示する展示器具１であって、前記展示対象物１０の被鑑賞面１１を支持する透明の正面板２と、前記展示対象物１０の前記被鑑賞面１１の裏側の面を支持する背面板３と、前記正面板２及び／又は前記背面板３の前記展示対象物１０と接する面に該展示対象物１０を止着する止着部５と、前記正面板２と前記背面板３との間に前記展示対象物１０を挟持した挟持状態において該正面板２を該背面板３に固定する固定手段４と、を有する。【選択図】図１
2008114002.tif 000002
【特許請求の範囲】
【請求項１】
シート状の展示対象物を収容して展示する展示器具であって、
前記展示対象物の被鑑賞面を支持する透明の正面板と、
前記展示対象物の前記被鑑賞面の裏側の面を支持する背面板と、
前記正面板及び／又は前記背面板の前記展示対象物と接する面に該展示対象物を止着する止着部と、
前記正面板と前記背面板との間に前記展示対象物を挟持した挟持状態において該正面板を該背面板に固定する固定手段と、を備える、
展示器具。
【請求項２】
前記止着部は、粘着性の部材で構成されている、
請求項１に記載の展示器具。
【請求項３】
前記止着部は、情報性を有する所定の形状に印刷されている、
請求項１又は２に記載の展示器具。
【請求項４】
前記止着部は、円形の窪みであって該円形の窪みの内部の圧力を外部の圧力よりも低い状態で保つことによって前記展示対象物を止着する、弾性部材で構成される窪みを前記展示対象物と接する面側に備える、
請求項１から３の何れかに記載の展示器具。
【請求項５】
前記背面板は、透明な板で構成され、
前記止着部は、透明の部材で構成されている、
請求項１から４の何れかに記載の展示器具。
【発明の詳細な説明】
【技術分野】
【０００１】
本発明は、シート状の展示対象物を収容して展示する展示器具に関する。
【背景技術】
【０００２】
写真や絵葉書といったシート状の展示対象物を収容して展示する展示器具には、視覚効果を高めるための各種機能が施されている（例えば、特許文献１を参照。）。
【特許文献１】特開２００６−４３３３７号公報
【発明の開示】
【発明が解決しようとする課題】
【０００３】
ユーザが展示したいと考える展示対象物には、様々な大きさのものが存在する。よって、ユーザは、展示器具の展示対象物を収容する部分の大きさが展示対象物よりも大きい場合、収容した展示対象物の位置がずれないように両面テープ等で固定する必要がある。展示対象物を入れ替える度にこのような作業を強いられることは煩わしい。
【０００４】
そこで本発明は、収容する展示対象物が遊動するのを抑制する展示器具を提供することを課題とする。
【課題を解決するための手段】
【０００５】
本発明は、上述の課題を解決するため、シート状の展示対象物を収容して展示する展示器具であって、展示対象物の被鑑賞面の表側の面を支持する正面板及び／又は裏側の面を支持する背面板に該展示対象物を止着する止着部を備える。
【０００６】
詳細には、本発明は、シート状の展示対象物を収容して展示する展示器具であって、前記展示対象物の被鑑賞面を支持する透明の正面板と、前記展示対象物の前記被鑑賞面の裏側の面を支持する背面板と、前記正面板及び／又は前記背面板の前記展示対象物と接する面に該展示対象物を止着する止着部と、前記正面板と前記背面板との間に前記展示対象物を挟持した挟持状態において該正面板を該背面板に固定する固定手段と、を備える。
【０００７】
上述の展示器具は、シート状の展示対象物を収容して展示するためのものであり、正面板と背面板と止着部と固定手段とを主要な構成要素としている。シート状の展示対象物として、例えば、写真や絵葉書、ポスターといった紙媒体が挙げられる。
【０００８】
正面板は、展示対象物の被鑑賞面を支持する。正面板は透明であるため、展示対象物の被鑑賞面を支持した状態で、展示対象物の被鑑賞面を見せることが可能となる。また、背面板は、展示対象物の被鑑賞面の裏側の面を支持する。また、固定手段は、正面板と背面板との間に展示対象物を挟持した状態において正面板を背面板に固定する。これにより、展示対象物を正面板と背面板との間に挟持した状態で保持することが可能となる。
【０００９】
ここで、正面板及び／又は背面板には、展示対象物と接する面に該展示対象物を止着する止着部が備えられている。この止着部は、展示対象物を正面板及び／又は背面板に止着するものである。これにより、展示対象物を止着部に載せた際に該展示対象物が遊動し、展示対象物と正面板及び／又は背面板との相対的な位置関係がずれてしまうことが無くなる。また、正面板と背面板との間に展示対象物を挟持した挟持状態において、展示対象物と正面板及び／又は背面板との相対的な位置関係がずれてしまうことも無くなる。なお、この止着部を正面板に設ける際は、該止着部が透明であることが好ましい。
【００１０】
以上により、本発明に係る展示器具によれば、収容する展示対象物が遊動するのを抑制することが可能になる。
【００１１】
ここで、前記止着部は、粘着性の部材で構成してもよい。
【００１２】
展示対象物を正面板及び／又は背面板に止着する方法として、正面板及び／又は背面板の展示対象物と接する面に、粘着性を有する部材を貼り付ける方法が挙げられる。正面板及び／又は背面板の展示対象物と接する面に粘着性を有する部材を配置しておくことにより、展示対象物を止着部に載せるだけで該展示対象物が止着される。
【００１３】
以上により、本発明に係る展示器具によれば、収容する展示対象物が遊動するのを抑制することが可能になる。
【００１４】
ここで、前記止着部は、情報性を有する所定の形状に印刷されるようにしてもよい。
【００１５】
展示器具は、展示対象物が収容されていない状態だと背面板が正面から見える状態になる。よって、例えば、背面板に何ら装飾等が施されていないと、展示器具を販売展示等する際のディスプレイ効果が低い。また、例えば、展示対象物の見栄えが良くなるような収容位置が背面板や正面板に示されていると、展示器具に展示対象物を収容する際に収容位置の位置合わせが行いやすい。そこで、本発明に係る展示器具は、止着部を所定の形状に印刷する。例えば、止着部を文字情報や図形等を示す形状で印刷することにより、展示器具に何ら展示対象物を収容しない状態で店頭等に陳列しても、ディスプレイ効果を高めることができ且つユーザが展示対象物を収容する際に該展示対象物の遊動を抑制することができる。また、止着部を展示対象物の見栄えが良くなる収容位置を示すような形状で印刷することにより、ユーザは、止着部によって示される収容位置に展示対象物を位置合わせするだけで該展示対象物を見栄えが良い状態で展示器具に収容することが可能となる。ここで、所定の形状とは、正面板及び／又は背面板に印刷された止着部の形状であり、例えば、展示対象物の収容位置や文字、図形といった情報を示す形状である。
【００１６】
以上により、本発明に係る展示器具によれば、収容する展示対象物が遊動するのを抑制し且つユーザ等に情報を示すことが可能になる。
【００１７】
ここで、前記止着部は、円形の窪みであって該円形の窪みの内部の圧力を外部の圧力よりも低い状態で保つことによって前記展示対象物を止着する、弾性部材で構成される窪みを前記展示対象物と接する面側に備えるようにしてもよい。
【００１８】
本発明に係る展示器具は、止着部に円形の窪みが配設されている。この窪みは弾性を有する。窪みに弾性を持たせるためには、窪み部分の周囲を弾性部材で構成するか、止着部そのものを弾性部材で構成する方法が挙げられる。止着部に弾性の窪みが配設されているため、展示対象物を止着部の上に載せて押圧することにより、窪みに吸盤的な効果を発揮させることが可能である。すなわち、止着部の上に乗せられた展示対象物が押圧されることにより、円形の窪みの内部の圧力が外部の圧力よりも低い状態で保たれ、止着部が展示対象物を止着することが可能となる。
【００１９】
以上により、本発明に係る展示器具によれば、収容する展示対象物が遊動するのを抑制することが可能になる。
【００２０】
ここで、前記背面板は、透明な板で構成され、前記止着部は、透明の部材で構成してもよい。
【００２１】
本発明に係る展示器具は、正面板と背面板と止着部とが透明な部材で構成されているため、展示器具に清涼感を漂わせ、収容されている展示対象物の美感を高めることが可能である。また、展示対象物を止着し、遊動を抑制することが可能となる。また、止着部が透明な部材で構成されているため、展示対象物が止着部よりも小さく、展示対象物を展示した状態において該止着部が露出していても美感を損なうことがなくなる。
【００２２】
以上により、本発明に係る展示器具によれば、収容する展示対象物が遊動するのを抑制し且つ収容する展示対象物の美感を高めることが可能となる。
【発明の効果】
【００２３】
本発明によれば、収容する展示対象物が遊動するのを抑制する展示器具を提供することが可能となる。
【発明を実施するための最良の形態】
【００２４】
以下、本発明を実施するための最良の形態を例示的に説明する。以下に示す実施形態は例示であり、本発明はこれらに限定されない。
【実施例１】
【００２５】
＜構成＞
図１は、本発明の一実施例に係る展示器具１の斜視図である。図１において示すように、本実施例に係る展示器具１は、正面板２と背面板３と固定部材４（本発明でいう、「固定手段」に相当。）とを備える。また、背面板３には、展示対象物と接する面側に止着部５が設けられている。なお、本実施例において、展示器具１は、写真を展示するフォトフレームであることを前提としている。しかし、本発明に係る展示器具１に収容する展示対象物は、シート状でさえあればよく、写真以外のもの（例えば、絵葉書や切手、手紙等。）であってもよい。また、止着部５は、透明な材質で構成されていれば正面板２の展示対象物と接する面側に設けてもよい。
【００２６】
正面板２及び背面板３は、透明なアクリル板によって構成されている。透明なアクリル板を採用することにより、展示器具１に清涼感が漂い、収容される展示対象物の美感が高まるためである。なお、本実施例において、正面板２及び背面板３はアクリル板で構成しているがガラス板等を採用してもよい。また、背面板３は、透明の部材を採用しているが、有色の部材を採用してもよい。
【００２７】
固定部材４は、雄ネジ６や雌ネジ７や雌ネジ８で構成されている。雄ネジ６の頭部分は、指でネジを回動させることが可能な程度の大きさを有している。また、展示器具１を起立させることが可能なように、展示器具１の下側には長さの長い雌ネジ８が２本設けられている。長さの長い雌ネジ８が２本、展示器具１の後ろ側に突き出るように設けられていることにより、該雌ネジ８が脚部の役割を果たすことになる。なお、展示器具１を壁に立てかけたり、壁にぶら下げたりする場合は、長さの短い雌ネジ７に変更する。
【００２８】
図２において、展示器具１のＡ−Ａ断面図を示す。図２において示すように、止着部５は、粘着性の部材を印刷することによって構成されている。止着部５を構成する粘着性の部材は、合成樹脂を２０〜３０％とシクロヘキサノンを５０〜６０％含有した混合物のインクに粘着成分を配合することによって生成される。なお、止着部５は、止着部５の上に展示対象物を載せた際に該展示対象物が容易に遊動しない程度の粘着力さえ有していればよく、接触した展示対象物が剥がれなくなるような強い粘着力を必要としない。また、止着部５は透明の粘着性部材で形成されているが、有色の粘着性部材によって形成してもよい。止着部５を有色の粘着性部材で構成することにより、展示器具１のデザイン性を高めることも可能である。
【００２９】
なお、図１において示すように、展示器具１の止着部５は、展示対象物の収容位置の位置合わせが行いやすいようにマトリックス状に印刷されている。よって、ユーザは、マトリックスの格子線に展示対象物を合わせることにより、展示対象物が傾いたりすることなく見栄えのよい状態で収容することが可能になる。また、展示器具１の止着部５には、透明の粘着性の部材が展示器具１の商品名等を示すように文字情報が印刷されている。よって、この展示器具１が店頭に陳列された場合、ユーザは止着部５が示す商品名等の情報を取得し、他の商品と識別することが可能である。
【００３０】
＜使用方法＞
次に、本実施例に係る展示器具１の使用方法について説明する。
【００３１】
図３は、本実施例に係る展示器具１を分解した場合の斜視図である。まず、固定部材４である雄ネジ６と雌ネジ７、雌ネジ８を外し、正面板２と背面板３とを分離する。次に、背面板３に印刷された止着部５の上に写真１０（本発明でいう、「展示対象物」に相当。）を置く。次に、写真１０を挟持するように正面板２を背面板３の上に重ねる。これにより、写真１０の被鑑賞面１１が正面板２によって支持され、写真１０の被鑑賞面１１の裏側の面が背面板３によって支持される。次に、雄ネジ６を正面板２の四隅にある穴１２に挿通し、雌ネジ７、雌ネジ８を締める。これにより、正面板２と背面板３との間に写真１０が挟持された状態で正面板２が背面板３に固定される。
【００３２】
図４は、写真１０を挟持した状態の展示器具１のＡ−Ａ断面図である。図４において示すように、粘着性を有する止着部５が写真１０を押圧している。これにより、展示器具１を立てたり動かしたりしても写真１０が遊動しなくなる。
【００３３】
＜効果＞
以上により、本展示器具１によれば、収容する写真１０の遊動を抑制することが可能になる。また、正面板２や背面板３や止着部５が透明の部材で構成されているため、展示器具１や写真１０の美感を高めることが可能になる。また、写真１０を固定する際に両面テープを用いる必要が無いため、写真１０を傷めることが無い。また、止着部５がマトリックス状に印刷されているため、写真１０の位置合わせが容易になり、写真１０が傾いたりすることなく見栄えの良い位置に収容することが可能になる。
【実施例２】
【００３４】
図５は、上述した実施例１の変形例に係る展示器具１０１を分解した斜視図である。図５において示すように、本変形例に係る展示器具１０１は、上述した実施例１と同様、正面板１０２や背面板１０３を備える。これら正面板１０２や背面板１０３は、上述した実施例1に係る正面板２や背面板３と同様の構成である。本変形例に係る展示器具１０１は
、粘着性の部材で構成される止着部１０４が展示対象物の収容位置を示すように印刷されている。すなわち、展示器具１０１に展示対象物を収容する際、展示対象物の見栄えが良くなる位置（例えば、正面から見て上下左右が対称となる中央部付近など、バランスの良い位置。）を示すように、止着部１０４が矩形の線を示すような形状に印刷されている。
【００３５】
背面板１０３の上に展示対象物である写真１０等を置く際は、写真１０が止着部１０４を構成している複数の矩形の線のうち何れの線に沿うように置く。これにより、写真１０を鑑賞に適した見栄えの良くなる位置に容易に位置合わせをすることが可能になる。なお、実施例１と同様、位置合わせ用の矩形の線の他、文字情報等を印刷してもよい。文字情報や図形の形状をした粘着剤が印刷されていることにより、展示器具１０１をノベルティ商品としても活用することが可能となる。
【００３６】
なお、本変形例において、止着部１０４は破線によって印刷されているが、実線で印刷してもよい。また、本変形例において、様々な大きさの展示対象物に対応可能なようにするために、止着部１０４は大きさの異なる複数の矩形の線を印刷してあるが、一つの矩形の線であってもよく、また図６において示すような格子状（方眼罫）に印刷してもよい。また、本変形例においては、止着部１０４は、矩形の線で印刷されているが、様々な形状の展示対象物に対応するため、ひし形や丸形の線で印刷してもよい。
【実施例３】
【００３７】
図７は、上述した実施例の変形例に係る展示器具２０１の斜視図である。上述した実施例では、正面板や背面板を固定する固定部材が雄ネジや雌ネジで構成されていた。しかし、本発明は、これらに限られるものではない。すなわち、図７において示すように、フレーム状の固定部材（フレーム２０２）に嵌めることにより、正面板２を背面板３に固定するようにしてもよい。本変形例によれば、展示器具２０１内に収容された写真１０等の展示対象物がフレーム２０２内で浮いたように見えるため、美感が高まる。
【実施例４】
【００３８】
図８は、上述した実施例の変形例に係る展示器具３０１を分解した場合の斜視図である。図８において示すように、本変形例に係る展示器具３０１は、フレーム３０２や正面板３０３、背面板３０４を備える。
【００３９】
上述した実施例において、止着部は背面板に印刷されていた。しかし、本変形例に係る止着部３０５は、背面板３０４と略同一の大きさのシート形状になっており、背面板３０４の上に載せる台紙のように構成されている。そして、写真１０等の展示対象物を収容する際は、止着部３０５の上に写真１０を重ねた状態でこれらを正面板３０３と背面板３０４との間に挟持し、フレーム３０２に収容する。
【００４０】
本変形例に係る展示器具３０１によれば、収容する展示対象物の位置を所望の位置に配置することが可能であり、且つ、展示器具３０１内での遊動を抑制することが可能になる。
【実施例５】
【００４１】
図９は、上述した各実施例の変形例に係る止着部を備える背面板４０３の上視図である。図９において示すように、本変形例に係る背面板４０３は、円形の窪み４０２を有する止着部４０１が展示対象物と接する側の面に印刷されている。また、止着部４０１は、弾性を有する部材で構成されている。
【００４２】
図１０は、背面板４０３のＢ−Ｂ断面図を示す。図１０において示すように、ユーザが止着部４０１に写真１０等の展示対象物を置いて該展示対象物を押圧することにより、窪み４０２の内部の空気が押し出される。これにより、窪み４０２の内部の圧力が外部の圧力よりも低下し、写真１０が止着部４０１によって背面板４０３に止着される。
【００４３】
本変形例に係る止着部４０１によれば、展示器具内に展示対象物を収容した状態で該展示対象物が遊動するのを抑制することが可能になる。なお、本実施例において、窪み４０２を有する止着部４０１は背面板に印刷されているが、実施例４のようにシート状に構成してもよい。
【図面の簡単な説明】
【００４４】
【図１】実施例１に係る展示器具の斜視図。
【図２】実施例１に係る展示器具のＡ−Ａ断面図。
【図３】実施例１に係る展示器具の斜視図。
【図４】実施例１に係る展示器具のＡ−Ａ断面図。
【図５】実施例２に係る展示器具の斜視図。
【図６】実施例２に係る展示器具の斜視図。
【図７】実施例３に係る展示器具の斜視図。
【図８】実施例４に係る展示器具の斜視図。
【図９】実施例４に係る背面板の上視図。
【図１０】実施例４に係る背面板のＢ−Ｂ断面図。
【符号の説明】
【００４５】
１、１０１、２０１、３０１・・展示器具
２、１０２、３０３・・・・・・正面板
３、１０３、３０４、４０３・・背面板
４・・・・・・・・・・・・・・固定部材
５、１０４、３０５、４０１・・止着部
６・・・・・・・・・・・・・・雄ネジ
７、８・・・・・・・・・・・・雌ネジ
１０・・・・・・・・・・・・・写真
１１・・・・・・・・・・・・・被鑑賞面
１２・・・・・・・・・・・・・穴
２０２、３０２・・・・・・・・フレーム
【図１】
2008114002.tif 000003
【図２】
2008114002.tif 000004
【図３】
2008114002.tif 000005
【図４】
2008114002.tif 000006
【図５】
2008114002.tif 000007
【図６】
2008114002.tif 000008
【図７】
2008114002.tif 000009
【図８】
2008114002.tif 000010
【図９】
2008114002.tif 000011
【図１０】
2008114002.tif 000012